(57)【要約】【課題】対象物に貼付できるとともに、疑似的なクリップ機能を備えたラベルを提供する。【解決手段】ラベルＬ１は、矩形状のラベル本体部３における短辺２ａ上の異なる２点Ｓ１、Ｓ２からラベル本体部３の外側に突出するつまみ部４を有する。また、ラベルＬ１には短辺２ａ上の２点Ｓ１、Ｓ２からラベル本体部３の内部領域の２点Ｅ１、Ｅ２まで一筆書き状に形成される一対のスリット５が形成される。そして、ラベルＬ１が薬剤容器１３に貼付された状態でつまみ部４を一対のスリット５に沿って捲り上げ、捲られたラベルＬ１の粘着領域９ａにメモ用紙１６ａを貼付する。すると、ラベルＬ１と薬剤容器１３によりメモ用紙１６ａを疑似クリップのように保持される。【選択図】図９Ｄ
2015200743.tif 000002
【特許請求の範囲】
【請求項１】
異なる２点を繋ぐ直線に交差する一方に突出し、かつ、その２点を繋ぐ外形線により形成されるつまみ部を有し、対象物に貼付されるラベルであって、
前記２点をそれぞれ一端として他方に位置する他端までそれぞれ一筆書き状に形成される一対のスリットを備え、
前記ラベルの裏面には、前記一対のスリットの間に形成される粘着領域を有することを特徴とする疑似クリップ機能を備えたラベル。
【請求項２】
前記ラベルが前記対象物に貼付された状態で、前記つまみ部が前記一対のスリットに沿って捲られることで、前記一対のスリットに案内されて捲られた前記粘着領域にシート状部材が貼付され、前記対象物と前記粘着領域の間に前記シート状部材が疑似的に挟まれて保持される請求項１に記載の疑似クリップ機能を備えたラベル。
【請求項３】
前記ラベルの裏面には、前記一対のスリットの他端側を含む粘着性を有しないか又は粘着性が減殺された非粘着領域と、前記非粘着領域を除く前記一対のスリットの間に前記粘着領域とが形成される請求項１又は２に記載の疑似クリップ機能を備えたラベル。
【請求項４】
前記スリットは前記他方に向かった後、前記一方側に引き返す戻り部を有する請求項１ないし３のいずれか１項に記載の疑似クリップ機能を備えたラベル。
【請求項５】
前記戻り部が曲線状に形成される請求項４に記載の疑似クリップ機能を備えたラベル。
【請求項６】
前記一対のスリットの前記戻り部は前記他方側で互いに離れる方向に曲がる曲線である請求項４又は５に記載の疑似クリップ機能を備えたラベル。
【発明の詳細な説明】
【技術分野】
【０００１】
本発明は、疑似クリップ機能を備えたラベルに関する。
【背景技術】
【０００２】
クリップ機能を備えたラベルが特許文献１で開示されている。
【先行技術文献】
【特許文献】
【０００３】
【特許文献１】実用新案登録第３０６７６７０号
【発明の概要】
【発明が解決しようとする課題】
【０００４】
しかし、上記のラベルは粘着層を有さないため、対象物に貼付できない。
【０００５】
本発明の課題は、対象物に貼付できるとともに、疑似的なクリップ機能を備えたラベルを提供することにある。
【課題を解決するための手段および発明の効果】
【０００６】
本発明の疑似クリップ機能を備えたラベルは、
異なる２点を繋ぐ直線に交差する一方に突出し、かつ、その２点を繋ぐ外形線により形成されるつまみ部を有し、対象物に貼付されるラベルであって、
２点をそれぞれ一端として他方に位置する他端までそれぞれ一筆書き状に形成される一対のスリットを備え、
ラベルの裏面には、一対のスリットの間に形成される粘着領域を有することを特徴とする。
【０００７】
本発明の疑似クリップ機能を備えたラベルは、ラベルが対象物に貼付された状態で、つまみ部が一対のスリットに沿って捲られると、ラベルの裏面の粘着領域が一対のスリットに案内されるように捲られる。よって、捲られた粘着領域にシート状部材が貼付されると、対象物と粘着領域の間にシート状部材が疑似的に挟まれて保持される。そのため、対象物に貼付できるとともに、疑似的なクリップ機能を発揮することが可能となる。
【０００８】
本発明の実施態様では、ラベルの裏面には、一対のスリットの他端側を含む粘着性を有しないか又は粘着性が減殺された非粘着領域と、非粘着領域を除く一対のスリットの間に粘着領域とが形成される。これによれば、つまみ部を捲る際に、つまみ部を導くスリットの他端側が非粘着領域に含まれる。よって、つまみ部がスリットに沿って他端側まで捲られるとスリットの他端側を含む非粘着領域がつまみ部の捲られる方向に引っ張られる。そのため、つまみ部が捲られることでスリットの他端側のラベルが引っ張られる力を分散させ、スリット以外の箇所からラベルが裂けるのを抑制できる。
【０００９】
本発明の実施態様では、スリットは他方に向かった後、一方側に引き返す戻り部を有する。これによれば、つまみ部の捲られる方向を案内する一対のスリットが戻り部で引き返すため、スリットに沿って捲られるラベル部分の面積を調整できる。
【００１０】
また、戻り部は曲線状に一方側に引き返す。これによれば、つまみ部の捲られる方向を案内する一対のスリットが曲線状に他方側から一方側に引き返す。よって、つまみ部を捲った際、戻り部又はその周辺部でスリット以外の箇所からラベルが裂けるのを抑制できる。
【００１１】
更に一対のスリットの戻り部は他方側で互いに離れる方向に曲がる曲線である。これによれば、スリットに沿って捲られるラベル部分の面積が次第に増加する。よって、戻り部又はその周辺においてスリット以外の箇所からラベルが裂けるのをより効果的に抑制できる。
【図面の簡単な説明】
【００１２】
【図１】疑似クリップ機能を備えたラベルの例１を示す正面図。
【図２Ａ】図１に対応する背面図。
【図２Ｂ】図２Ａにおける粘着領域及び非粘着領域を説明する説明図。
【図３】図１に対応する右側面図。
【図４】図１に対応する左側面図。
【図５】図１に対応する平面図。
【図６】図１に対応する底面図。
【図７】図１に対応する斜視図。
【図８Ａ】図１のラベルを薬剤容器に貼付する工程を示す説明図。
【図８Ｂ】図８Ａに続く説明図。
【図９Ａ】図１のラベルにメモ用紙を挟む使用方法を説明する説明図。
【図９Ｂ】図９Ａに続く説明図。
【図９Ｃ】図９Ｂに続く説明図。
【図９Ｄ】図９Ｃに続く説明図。
【図１０Ａ】疑似クリップ機能を備えたラベルの例２を示す正面図。
【図１０Ｂ】図１０Ａのラベルの背面における粘着領域及び非粘着領域を説明する説明図。
【図１１Ａ】疑似クリップ機能を備えたラベルの例３を示す正面図。
【図１１Ｂ】図１１Ａのラベルの背面における粘着領域及び非粘着領域を説明する説明図。
【図１２Ａ】疑似クリップ機能を備えたラベルの例４を示す正面図。
【図１２Ｂ】図１２Ａのラベルの背面における粘着領域及び非粘着領域を説明する説明図。
【図１３】疑似クリップ機能を備えたラベルの例５を示す正面図。
【発明を実施するための形態】
【００１３】
図１〜図７は、本発明の疑似クリップ機能を備えた一例（例１）のラベルＬ１を示す。図１に示すようにラベルＬ１は、長辺１（１ａ、１ｂ）と短辺２（２ａ、２ｂ）を有して矩形シート状に形成されたラベル本体部３と、ラベル本体部３の短辺２ａに設けられたつまみ部４を備える。ラベルＬ１は、対象物に貼付された状態で、ラベル本体部３とつまみ部４により疑似的なクリップ機能を発揮することが可能となる。
【００１４】
図１及び図２Ａに示すようにラベル本体部３は、ラベルＬ１が貼付される対象物に関連する情報を自身の表面に表示する情報表示部Ｉ（図１）と、自身の表裏を貫通する一対のスリット５とを備える。一対のスリット５は、ラベル本体部３の短辺２ａ上の異なる２点Ｓ１、Ｓ２をそれぞれ一端とする。また、ラベル本体部３の内部に位置する異なる２点Ｅ１、Ｅ２をそれぞれ他端とする。一対のスリット５は、それぞれ一端と他端（Ｓ１とＥ１、Ｓ２とＥ２）を繋ぐように一筆書き状に形成される。
【００１５】
図１の図示左側のスリット５は、短辺２ａ上の１点Ｓ１を一端として短辺２ｂ側に向かって伸びる伸長部６と、伸長部６と一続きに接続され、短辺２ｂ側に向かった後に短辺２ａ側に引き返す戻り部７と、戻り部７と一続きに接続され、再び短辺２ｂ側に向かってＥ１まで伸びる再伸長部８とを備える。
【００１６】
図１の図示左側の伸長部６は、短辺２ａ上の１点Ｓ１を一端として短辺２ｂ側に向かうとともに、長辺１ａ側に弧を描くように曲がる。戻り部７は、伸長部６と連続して長辺１ａ側に弧を描き、短辺２ｂ側に最も接近する接近点７ａに到達する。戻り部７は接近点７ａに到達した後、接近点７ａを頂点とするように凸曲線を描くように短辺２ａ側に引き返すように曲がる。再伸長部８は戻り部７と連続して曲線を描くとともに、戻り部７側に引き返すように短辺２ａ側に最も接近した後、短辺２ｂ側に向かってＥ１まで伸長する。再伸長部８は、全体としてＵ字状の曲線を描く。
【００１７】
一方、図１の図示右側のスリット５は、図示左側のスリット５を短辺２ａ、２ｂの中点を通過する直線を軸とする軸対称に形成される。一対のスリット５の間の幅は、短辺２ｂ側において間隔が広くなる先太り形状に形成される。
【００１８】
また、ラベル本体部３の裏面には、図２Ｂに示すように粘着領域９と、粘着領域９に囲まれる非粘着領域１０が形成される。粘着領域９は、一対のスリット５の間に形成され、疑似クリップ機能を発揮するための粘着領域９ａと、粘着領域９ａとともに非粘着領域１０を囲みラベルＬ１を対象物（対象部）に貼付するための粘着領域９ｂを備える。粘着領域９ａは対象物に貼付でき、かつ、その対象物とは異なる他の対象物に対しても再貼付可能な領域である。粘着領域９ｂは、ラベル本体部３を対象物に貼付するための粘着領域となる。非粘着領域１０は、粘着性を有しないか又は粘着性が減殺された領域である。非粘着領域１０は、短辺２ａ側に凹となる凹曲線部１０ａと、凹曲線部１０ａの両端に接続するとともに、短辺２ｂ側に凸となる凸曲線部１０ｂを有し、三日月状に形成される。
【００１９】
凹曲線部１０ａは、図２Ｂの図示右側のＵ字状の再伸長部８に外側（短辺２ａ側）から沿い、短辺２ｂに向かって伸長して戻り部７に交差する。凹曲線部１０ａは戻り部７交差した後、短辺２ｂ側に最も接近する接近点Ｐ１に到達する。その後、接近点Ｐ１を頂点とするように凸曲線を描き、図示左側の戻り部７に交差した後、再伸長部８の外側（短辺２ａ側）に沿うように形成される。
【００２０】
凸曲線部１０ｂは、凹曲線部１０ａの両端に接続するとともに、短辺２ｂ側に最も接近する接近点Ｐ２を頂点とするように凸曲線状に形成される。凹曲線部１０ａと凸曲線部１０ｂにより囲まれる非粘着領域１０の内部には、一対のスリット５の他端側である戻り部７及び再伸長部８が含まれる。また、非粘着領域１０と粘着領域９ａが隣接して形成され、非粘着領域１０と粘着領域９ａの境界線が短辺２ｂ側に向けて凸となる凸曲線状となる。
【００２１】
図１に戻って、ラベル本体部３の短辺２ａには、つまみ部４が形成される。つまみ部４は、短辺１ａ上の２点Ｓ１、Ｓ２からラベル本体部３と同一平面上の外側に突出するとともに、その２点Ｓ１、Ｓ２を繋ぐ外形線４ａにより囲まれた囲み状領域４ｂにより矩形状に形成される。つまみ部４は、ラベルＬ１が対象物に貼付された状態でラベルＬ１の使用者が指などでつまむことができる部分である。
【００２２】
図２Ｂに示すようにつまみ部４の裏面において、つまみ部４の突出側には、つまみ部４をつまむことを可能とする非粘着領域１１と、つまみ部４の一部を対象物に貼付できる粘着領域１２が形成される。非粘着領域１１は粘着性を有しないか又は粘着性が減殺された領域であり、つまみ部４の突出側の外形に沿って矩形状に形成される。一方、粘着領域１２は、ラベル本体部３の粘着領域９ａとつまみ部４の非粘着領域１１の間に配置され、短辺２ａに沿って矩形状に形成される。また、粘着領域１２は非粘着領域１１より小さく形成される。
【００２３】
以上の構成を備えるラベルＬ１は、本実施例では図８Ａに示すように薬剤容器１３に貼付される。薬剤容器１３は、薬剤を収容する容器本体部１４と、容器本体部１４に収容された薬剤を吐出可能なポート１５を備える。薬剤容器１３に収容された薬剤が医師や看護師等により患者に投与される。
【００２４】
容器本体部１４は、筒状シート１４ａにおける両側の開口を閉じた容器状に形成される。容器本体部１４の図示上部には、筒状シート１４ａを厚さ方向に貫く吊架孔１４ｂが形成される。一方、容器本体部１４の図示下部には、筒状シート１４ａの下部開口にポート１５の一端部が挿入される。そして、その状態で、その下部開口の内面同士、又は、その内面とポート１５の外面がシール部１４ｃにより相互に接合される。また、容器本体部１４の表面（図示手前側）の中央部は、ラベルＬ１が貼付される貼付領域となる。
【００２５】
筒状シート１４ａに接合されるポート１５は、容器本体部１４の内部と外部を連通させる筒状部材である。ポート１５の図示下部の開口には、その開口を塞ぐように弾性部材（図示省略する）が装着される。その弾性部材に針（図示省略する）を穿刺することで、容器本体部１４に収容された薬剤が外部に排出可能となる。薬剤としては薬液Ｌが容器本体部１４に収容される。
【００２６】
以上の構成を有する薬剤容器１３にラベルＬ１が貼付される。ラベルＬ１は裏面の粘着領域９ａ、９ｂ（図２Ｂ参照）により薬剤容器１３に貼付される。図８Ｂに示すようにラベルＬ１は、つまみ部４がポート１５と対向し、ラベルＬ１の長辺１が筒状の容器本体部１４の長さ方向に沿うように貼付される。また、ラベルＬ１の情報表示部Ｉには薬液Ｌに関連する情報が表示される。ラベルＬ１は、容器本体部１４に薬液Ｌが収容された状態で容器本体部１４に貼付してもよいし、薬液Ｌが収容される前の筒状シート１４ａの状態又は筒状シート１４ａが形成される前の平面状のシートの状態のときに貼付してもよい。
【００２７】
ラベルＬ１が貼付された薬剤容器１３の薬液Ｌを患者に投入する場合は、医師や看護師等は、患者の氏名や薬液Ｌの投入時間等の管理情報を薬剤容器１３とともに把握する必要がある。そこで、図９Ａに示すように管理情報を表裏が非粘着性であるシート状部材１６に記入して管理する。本実施例では、シート状部材１６は矩形シート状の用紙であるメモ用紙１６ａとして構成される。メモ用紙１６ａの表面には医師や看護師等により管理情報が記入される。
【００２８】
管理情報が記入されたメモ用紙１６ａは、薬剤容器１３と一体にして一元管理される。そこで、メモ用紙１６ａと薬剤容器１３を一体にするために、看護師等がラベルＬ１のつまみ部４をつまみ、つまみ部４を一対のスリット５に沿って、図示上方に捲し上げる（図９Ａ）。すると、つまみ部４とともに、一対のスリット５に挟まれたラベルＬ１部分（粘着領域９ａ）が薬剤容器１３の表面から剥離されて捲り上がる。そして、図９Ｂに示すように薬剤容器１３から剥離されるラベルＬ１が戻り部７に到達し、ラベルＬ１の裏面の非粘着領域１０が薬剤容器１３から浮き上がる。その結果、戻り部７の接近点７ａ、７ｂ（図２Ａ及びＢ参照）又はその周辺部を基点に一対のスリット５に挟まれたラベルＬ１部分が薬剤容器１３から持ち上がる。これによりつまみ部４を捲る際につまみ部４を導くスリット５の案内が終了する（スリット５が接近点７ａ、７ｂから短辺２ａ側に引き返すため、スリット５による案内が終了する）。
【００２９】
次に図９Ｃに示すようにつまみ部４とともに持ち上げられた粘着領域９ａ（図９Ｂ参照）と、つまみ部４及び粘着領域９ａが捲られて露出した薬液容器１３との間にメモ用紙１６ａの一辺を差し入れる（図９Ｃ）。その状態で一対のスリット５の間のスリット間領域（粘着領域９ａに対応するラベルＬ１の表面側の領域）を表面から薬剤容器１３に向けて押さえ付け、メモ用紙１６ａをラベルＬ１の粘着領域９ａに貼付する。するとメモ用紙１６ａは粘着領域９ａにぶら下がり、薬剤容器１３と粘着領域９ａの間に疑似的に挟まれるように保持される（図９Ｄ）。
【００３０】
一方、粘着領域９ａにより保持されたメモ用紙１６ａを外す場合は、メモ用紙１６ａの表面に沿って位置したつまみ部４の非粘着領域１１（図２Ｂ参照）をつまむ。そして、メモ用紙１６ａを薬剤容器１３の表面に沿うように支持したまま、つまみ部４を図示（図９Ｄ）上方に捲し上げる。すると、つまみ部４とともに、一対のスリット５に挟まれたラベルＬ１部分（粘着領域９ａ）がメモ用紙１６ａの表面から剥離されて持ち上がる。それによりメモ用紙１６ａがラベルＬ１から取り外される。そして、必要に応じてメモ用紙１６ａに情報が追加して記入され、再度、図９Ａ〜Ｄに示すようにメモ用紙１６ａがラベルＬ１により保持される。
【００３１】
以上のようにラベルＬ１は、図９Ａ及びＢに示すようにつまみ部４が一対のスリット５に導かれるように捲られると、ラベルＬ１の裏面の粘着領域９ａが薬剤容器１３から剥離する。そのため、剥離した粘着領域９ａにメモ用紙１６ａが貼付されると、薬剤容器１３と粘着領域９ａの間にメモ用紙１６ａを保持できる。メモ用紙１６ａはラベルＬ１によりクリップに挟まれるが如く保持される。よって、ラベルＬ１は、薬剤容器１３に貼付でき、疑似的なクリップ機能も発揮することが可能となる。
【００３２】
また、図９Ｄに示すようにラベルＬ１により薬剤容器１３とメモ用紙１６ａを一体にできる。よって、患者の氏名や薬液Ｌの投入時間等の管理情報が記入されたメモ用紙１６ａと薬剤容器１３を一元管理できる。そのため、従来のように油性ペン等で薬剤容器１３に貼付されたラベルＬ１や薬剤容器１３に薬剤の管理情報を直接記入する必要がない。よって、油性ペン等の成分が薬剤容器１３内にしみ出して薬液Ｌ中に混じることを予防でき、衛生的である。
【００３３】
また、薬剤容器１３と一体にされたメモ用紙１６ａは、メモ用紙１６ａを薬剤容器１３に表面に沿うように押さえて、つまみ部４を捲し上げると、ラベルＬ１の粘着領域９ａ（図９Ａ参照）から剥離できる。よって、必要な情報を再度、メモ用紙１６ａに記入できる。更には、情報が追加されたメモ用紙１６ａは、図９Ａ〜Ｄに示すように再度、ラベルＬ１のクリップ機能により薬剤容器１３に貼付できる。
【００３４】
図２Ａ及びＢに示すようにラベルＬ１の裏面には、つまみ部４の捲られる方向を案内する一対のスリット５の他端Ｅ１、Ｅ２側が非粘着領域１０である。そのため、つまみ部４がスリット５に導かれるように他端Ｅ１、Ｅ２側まで捲られると、図９Ｂに示すように非粘着領域１０に対応するラベルＬ１部分が薬剤容器１３の表面から浮き上がる。よって、つまみ部４を捲る際、スリット５の他端Ｅ１、Ｅ２側でラベルＬ１が裂けるのを予防できる。
【００３５】
具体的には、つまみ部４を一対のスリット５に沿って捲り上げ、スリット５の戻り部７まで捲られると、図９Ｂに示すように戻り部７の周辺部が薬剤容器１３から浮き上がる。よって、つまみ部４を捲る際、戻り部７又はその周辺部等に加えられる負荷が分散し、スリット５以外の箇所からラベルＬ１が裂けるのを抑制できる。そして、スリット５が短辺２ａ側に引き返す戻り部７の接近点７ａ、７ｂ（図１参照）又はその周辺部において、つまみ部４を捲る際につまみ部を導くスリット５の案内が終了する。そのため、戻り部７の接近点７ａ、７ｂにより一対のスリット５に沿って捲られる領域を調整できる。
【００３６】
また、戻り部７は曲線状に短辺２ａ側に引き返すため、戻り部７又はその周辺部でスリット５以外の箇所からラベルＬ１が裂けるのを抑制できる。更に、一対のスリット５の戻り部７は、短辺２ｂ側で互いに離れる方向に曲がる曲線状である。よって、つまみ部４を捲るに従って、捲り上がる領域が増加し、スリット５以外の個所からラベルＬ１が裂ける力を分散できる。また、戻り部７は接近点７ａ、７ｂを頂点とする凸曲線に形成されることで、より効果的にラベルＬ１が裂ける力を分散できる。
【００３７】
戻り部７に接続する再伸長部８は、戻り部７と連続して曲線を描き、戻り部７側に引き返すように短辺２ａ側に最も接近した後、短辺２ｂに向かって他端Ｅ１、Ｅ２まで伸長する曲線を描く。そのため、つまみ部４を捲った際、スリット５の他端Ｅ１、Ｅ２側でラベルＬ１が裂けるのを抑制できる。また、図２Ｂに示すように再伸長部８は非粘着領域１０に含まれるため、ラベルＬ１が裂けるのをより効果的に防止できる。
【００３８】
図１に示すようにスリット５は、短辺２ａ、２ｂの中点を通過する直線を軸として反転させると重なり合う軸対称に形成される。そのため、図９Ａ及びＢに示すようにスリット５に沿ってつまみ部４を捲る際、薬剤容器１３から剥離されるラベルＬ１の一部に引っ張られる力が集中してラベルＬ１が裂けるのを抑制できる。更に、一対のスリット５の間の幅は、図１に示すように短辺２ｂ側で間隔が広くなる先太り形状に形成される。よって、メモ用紙１６ａを貼付する貼付面積を大きく確保できる。
【００３９】
また、図２Ｂに示すように非粘着領域１０と粘着領域９ａが隣接して形成され、非粘着領域１０と粘着領域９ａの境界線が短辺２ｂ側に向けた凸曲線状とされる。そのため、図９Ａ及びＢに示すように一対のスリット５に沿ってつまみ部４を捲る際に、粘着領域９ａが薬剤容器１３から円滑に剥離する。
【００４０】
一方、つまみ部４は、ラベル本体部３の短辺２ａからその外側に突出して形成される。よって、ラベルＬ１によりメモ用紙１６ａを挟む際に、挟んだメモ用紙１６ａによりラベルＬ１の情報表示部Ｉが隠れるのを防止できる。また、図２Ｂに示すようにつまみ部４の裏面において、ラベル本体部３の粘着領域９ａとつまみ部４の非粘着領域１１との間に粘着領域１２が形成される。よって、ラベルＬ１が薬剤容器１３に貼付された状態で、つまみ部４が何らかの拍子により意図せず捲られた場合、一対のスリット５の間の粘着領域９ａまで薬剤容器１３から剥離されるのを抑制できる。よって、不必要な粘着領域９ａの剥離で粘着領域９ａの粘着力が低下するのを抑制できる。
【００４１】
また、図９Ｄに示すように薬剤容器１３とラベルＬ１により挟まれるメモ用紙１６ａがシート状である。そのため、メモ用紙１６ａをラベルＬ１により保持する際、薬剤容器１３上のラベルＬ１に沿ってメモ用紙１６ａが位置し、メモ用紙１６ａがかさ張らない。また、見栄えもよくなる。
【００４２】
以上、本発明の実施の態様を説明したが、本発明はその具体的な記載に限定されることなく、例示した構成等を技術的に矛盾のない範囲で適宜組み合わせて実施することも可能であるし、またある要素、処理を周知の形態に置き換えて実施することもできる。
【００４３】
例えば、メモ用紙１６ａを貼付するラベルＬ１の粘着領域９ａは、再貼付可能な弱粘着領域としてもよい。これによれば、メモ用紙１６ａに付加的に情報を書き込む際、メモ用紙１６ａの取外しが容易となる。更に、薬剤容器１３から粘着領域９ａを剥離することが容易となる。また、上記の実施例では、非粘着領域１０を囲むように粘着領域９ａ、９ｂをラベル本体部３の裏面の全域に形成したが、ラベル本体部３の一部に形成してもよい。
【００４４】
上記実施例では、非粘着領域１０は図２Ａ及びＢに示すように戻り部７の一部を含む構成であったが、戻り部７の全部を含む構成としてもよい。また、非粘着領域１０に戻り部７の一部を含む構成としては、例えば、戻り部７の少なくとも接近点７ａ、７ｂが非粘着領域１０に含まれる構成ならば、ラベルＬ１を捲る際、ラベルＬ１がスリット５以外の個所から裂けるのを抑制できる。
【００４５】
また、ラベルＬ１はプラスチックフィルム、合成紙、紙、箔、蒸着紙、蒸着されたプラスチックフィルムまたはこれらの混合または積層体などを用いてもよい。その際、ラベルＬ１を一軸又は二軸延伸フィルムとすると、つまみ部４を一対のスリット５に沿って剥離する際、ラベルＬ１がスリット５以外の箇所から裂けるのを予防できる。
【００４６】
上記の実施例では、つまみ部４はラベル本体部３の短辺２ａに形成される例を例示したが、図１０Ａ及びＢ（背面図は正面図と対称につき省略する。また、右側面図、左側面図、平面図及び底面図は図３〜６と同様となる。）に示すようにラベル本体部３の内部に形成されてもよい。つまみ部４が内部に形成される場合にはつまみ部４の外形線４ａはスリットで形成される。また、つまみ部４は、図１１Ａ及びＢ（背面図は正面図と対称につき省略する。）に示すようにラベル本体部３の長辺１ｂのみに形成されてもよいし、図１２Ａ及びＢ（背面図は正面図と対称につき省略する。）に示すようにラベル本体部３の長辺１ｂ及び短辺２ａに形成されてもよい。また、つまみ部４は長辺１ａ、１ｂの両方と短辺２ａ、２ｂの両方に形成してもよく、長辺１ａ、１ｂ、短辺２ａ、２ｂに複数形成してもよい。更に、図１３に示すようにつまみ部４の表面にラベルＬ４のクリップ機能を示唆する線図による表示部Ｍを設け、表示部Ｍを使用者の目印としてもよい。
【００４７】
なお、矩形状のラベルＬ１〜Ｌ５を例示したが、ラベルとしては円形状、楕円形状、三角形状、多角形状等、種々の形状を採用できる。また、ラベルＬ１を薬剤容器１３に適用する例を例示したが、生産ラインなどで部品を管理するなど、種々の用途に適用できる。
【符号の説明】
【００４８】
１    長辺                      ２    短辺
３    ラベル本体部              ４    つまみ部
５    スリット                  ６    伸張部
７    戻り部                    ８    再伸長部
９    粘着領域                  １０  非粘着領域
１１  非粘着領域                １２  粘着領域
１３  薬剤容器                  １４  容器本体部
１５  ポート                    １６  シート状部材
【図１】
2015200743.tif 000003
【図２Ａ】
2015200743.tif 000004
【図２Ｂ】
2015200743.tif 000005
【図３】
2015200743.tif 000006
【図４】
2015200743.tif 000007
【図５】
2015200743.tif 000008
【図６】
2015200743.tif 000009
【図７】
2015200743.tif 000010
【図８Ａ】
2015200743.tif 000011
【図８Ｂ】
2015200743.tif 000012
【図９Ａ】
2015200743.tif 000013
【図９Ｂ】
2015200743.tif 000014
【図９Ｃ】
2015200743.tif 000015
【図９Ｄ】
2015200743.tif 000016
【図１０Ａ】
2015200743.tif 000017
【図１０Ｂ】
2015200743.tif 000018
【図１１Ａ】
2015200743.tif 000019
【図１１Ｂ】
2015200743.tif 000020
【図１２Ａ】
2015200743.tif 000021
【図１２Ｂ】
2015200743.tif 000022
【図１３】
2015200743.tif 000023